(57)【要約】【課題】真ん中に映った正面像の左右の位置等で、像の向きを自然な方向に修正した左右面の像等をそれぞれ同時に見ることができるとともに、電子機器等を使用しないで低コストおよび長寿命化を図り、故障によるトラブルの発生もない姿見装置を提供する。【解決手段】使用者３の正面を映すハーフミラー７と、使用者３の左右面または上下面の少なくとも一方を映すサイドミラー１２Ｌ，１２Ｒとを設けて、使用者３の正面像（例えば正面顔）３ａをハーフミラー７で映すとともに、使用者３の左右面の像（例えば左の横顔と右の横顔）３ｂ，３ｃとを、サイドミラー１２Ｌ，１２Ｒから光学系手段１０を介してハーフミラー７の後面側に導いて、ハーフミラー７を透して見れるようにすることにより、ハーフミラーの真ん中に映った正面像３ａの左右の位置で、像の向きを自然な方向に光学系手段で修正した左右面の像３ｂ，３ｃをそれぞれ同時に見ることができる。【選択図】図３
2007215830.tif 000002
【特許請求の範囲】
【請求項１】
使用者の正面を映すハーフミラーと、使用者の左右面または上下面の少なくとも一方を映すサイドミラーとを備え、サイドミラーで映された左右面または上下面の像を光学系手段でハーフミラーの後面側に導いて、ハーフミラーを透して見れるようにしたことを特徴とする姿見装置。
【請求項２】
前記サイドミラーは、ハーフミラーの両側にそれぞれ設けられて、それぞれが可動式であることを特徴とする請求項１に記載の姿見装置。
【請求項３】
前記光学系手段は、２枚の固定ミラーを略Ｖ字状に組み合わせていることを特徴とする請求項１または２に記載の姿見装置。
【請求項４】
前記光学系手段に加えて、拡大・縮小可能なズームレンズとプリズムとを組み合わせてなる第２の光学系手段を設けていることを特徴とする請求項１または２に記載の姿見装置。
【請求項５】
前記サイドミラーの像を投影するスクリーンを設けて、スクリーンの投影像をハーフミラーを透して見れるようにしたことを特徴とする請求項１〜４のいずれか一項に記載の姿見装置。
【発明の詳細な説明】
【技術分野】
【０００１】
本発明は、ミラーを用いた姿見装置に関する。
【背景技術】
【０００２】
従来、ミラーを用いた姿見装置としては三面鏡がある。この三面鏡は、使用者の正面を映す正面鏡の左右両側に可動（回転）式の側面鏡（サイドミラー）をそれぞれ設けたものであり、側面鏡を内側に回動させて正面鏡を閉じたり、側面鏡を外側に回動させて正面鏡を開くことができる（特許文献１参照）。
【０００３】
そして、側面鏡の左右面の像を正面鏡に反射させた場合、使用者が例えば右の横側を正面で見た時に、正面には、外側に鼻を向けた不自然な向きで映されるようになる。
【０００４】
そこで、例えば、正面には、内側に鼻を向けた形の自然な向きで映されるようにする等のために、ビデオカメラとモニターとを組み合わせた姿見装置がある（特許文献２参照）。
【特許文献１】特開平８−７０９６６号公報
【特許文献２】実開平５−５５９５５号公報
【発明の開示】
【発明が解決しようとする課題】
【０００５】
しかしながら、特許文献２のように、ビデオカメラやモニター等の電子機器を使用すると、コストが高くなるとともに、耐久性が限られており、故障によるトラブルも発生するという問題があった。
【０００６】
本発明は、前記問題を解消するためになされたもので、真ん中に映った正面像の左右の位置等で、像の向きを自然な方向に修正した左右面の像等をそれぞれ同時に見ることができるとともに、電子機器等を使用しないで低コストおよび長寿命化を図り、故障によるトラブルの発生もない姿見装置を提供することを目的とするものである。
【課題を解決するための手段】
【０００７】
前記課題を解決するために、本発明は、使用者の正面を映すハーフミラーと、使用者の左右面または上下面の少なくとも一方を映すサイドミラーとを備え、サイドミラーで映された左右面または上下面の像を光学系手段でハーフミラーの後面側に導いて、ハーフミラーを透して見れるようにしたことを特徴とする姿見装置を提供するものである。
【０００８】
サイドミラーが開閉できるようにするために、前記サイドミラーは、ハーフミラーの両側にそれぞれ設けられて、それぞれが可動式である構成とすることが好ましい。
【０００９】
左右逆等の像の向きを自然な方向に修正するために、前記光学系手段は、２枚の固定ミラーを略Ｖ字状に組み合わせている構成とすることが好ましい。
【００１０】
天地逆、左右逆等の像の向きを自然な方向に修正するとともに、像を拡大・縮小できるようにするために、前記光学系手段に加えて、拡大・縮小可能なズームレンズとプリズムとを組み合わせてなる第２の光学系手段を設けている構成とすることができる。
【００１１】
空間像と比べて見やすくするために、前記サイドミラーの像を投影するスクリーンを設けて、スクリーンの投影像をハーフミラーを透して見れるようにした構成とすることができる。
【発明の効果】
【００１２】
本発明によれば、使用者の正面像（例えば正面顔）をハーフミラー（正面鏡）で映すとともに、使用者の左右面または上下面の像（例えば左の横顔と右の横顔または頂頭と顎下）とを、サイドミラー（側面鏡）から光学系手段を介してハーフミラーの後面側に導いて、ハーフミラーを透して見れるようにすることにより、ハーフミラーの真ん中に映った正面像の特定位置（例えば左右または上下の位置）で、像の向きを自然な方向に光学系手段で修正した像（例えば左右面または上下面の像）を、ハーフミラーを透してそれぞれ同時に見ることができる。
【００１３】
したがって、使用者は、正面を向いた状態で、ハーフミラーで正面像を見ながら、正面を向いた状態での左右面または上下面の像も同時に見て確かめることが容易にできるようになる。
【００１４】
また、従来の三面鏡では、左右面の像を正面に反射させた場合、使用者が例えば右の横側を正面で見た時に、正面には、外側に鼻を向けた不自然な向きで映されるのであるが、本発明では、光学系手段の設定により、内側に鼻を向けた自然な向きで映されることが可能となる。
【００１５】
さらに、ビデオカメラやモニター等の電子機器を使用しないために、低コストで長寿命化を図ることができるとともに、故障によるトラブルの発生もなくなる。
【発明を実施するための最良の形態】
【００１６】
以下、本発明を実施するための最良の形態について、図面を参照しながら詳細に説明する。
【００１７】
図１〜図４は第１実施形態の姿見装置１Ａであり、例えば洗面台２の三面鏡として組み込んだものである。使用者３は、椅子４に腰を掛けて、姿見装置１Ａに主として顔を映すものである。
【００１８】
図１、図２および図３（ａ）に示すように、洗面台２上には、姿見装置１Ａの正面ユニット５Ｓと左面ユニット５Ｌと右面ユニット５Ｒとが配置されている。
【００１９】
正面ユニット５Ｓは、洗面台２上の奥部に固定されて、正面ユニット５Ｓの正面（前面）には、使用者３の正面像（正面顔）を映すハーフミラー（正面鏡）７が設けられ、ハーフミラー７は、正面ユニット５Ｓの左右の支柱部材８でほぼ垂直状態に固定されている。ハーフミラー７は、透過率と反射率とが５０％程度のものを基準として、適宜に調整したものを用いることができる。正面ユニット５Ｓの内部でハーフミラー７の後方位置には、光が反射しにくい、例えば黒色のバックボード９が配置されている。そして、正面ユニット５Ｓのハーフミラー７には、図４（ａ）のように、使用者３の正面像（正面顔）３ａが映るようになる。
【００２０】
正面ユニット５Ｓの内部のハーフミラー７の奥、つまり、ハーフミラー７とバックボード９との間のスペースにおいて、ハーフミラー７の左右両端位置には、光学系手段１０がそれぞれ配置されている。各光学系手段１０は、２枚の固定ミラー１１を組み合わせたものであり、バックボード９の左右両端部分に、平面視が略Ｖ字状で、ハーフミラー７側に向かって開口するようにそれぞれ固定されている。
【００２１】
左面ユニット５Ｌは、洗面台２上の左部に配置され、右面ユニット５Ｒは、洗面台２上の右部に配置されて、左面ユニット５Ｌの内面（前面）と右面ユニット５Ｒの内面（前面）には、使用者３の左右面の像（左の横顔と右の横顔）を映すサイドミラー（側面鏡）１２Ｌ，１２Ｒがそれぞれ設けられている。
【００２２】
左面ユニット５Ｌと右面ユニット５Ｒとは、左右の支柱部材８の手前側の対向位置に設けられた左右の支柱部材１３で、矢印ｇで示すように、手前側と奥側とに回動自在に支持されている。つまり、サイドミラー１２Ｌ，１２Ｒは、ハーフミラー７の左右側方で、それぞれが可動式となっている。なお、図３（ａ）に示したように、正面ユニット５Ｓの左右の端部と支柱部材８との間に隙間がそれぞれ生ずる場合には、各隙間を別のハーフミラー若しくは透明なガラス等１４で塞ぐことが好ましい。
【００２３】
第１実施形態の姿見装置１Ａであれば、図４（ａ）のように、使用者３の正面像（正面顔）３ａがハーフミラー７に映るとともに、使用者の左の横顔と右の横顔とは、図３（ａ）に矢印ｈで示すように、サイドミラー１２Ｌ，１２Ｒから２枚の固定ミラー１１でなる光学系手段１０を介してハーフミラー７の後面側にそれぞれ導いて、図４（ｂ）のように、ハーフミラー７の真ん中に映った正面像（正面顔）３ａの左右の位置で、像の向きが内側に鼻を向けた形の自然な向きとなるように光学系手段１０で修正した左右面の像（左の横顔と右の横顔）３ｂ，３ｃを、ハーフミラー７を透してそれぞれ同時に見ることができる。すなわち、従来の三面鏡では、左右面の像を正面に反射させた場合、使用者が例えば右の横側を正面で見た時に、正面には、外側に鼻を向けた不自然な向きで映されるのであるが、第１実施形態の姿見装置１Ａでは、光学系手段１０の設定により、内側に鼻を向けた自然な向きで映されることが可能となる。
【００２４】
したがって、使用者３は、正面を向いた状態で、ハーフミラー７で正面像（正面顔）３ａを見ながら、正面を向いた状態での左右面の像（左の横顔と右の横顔）３ｂ，３ｃも同時に見て確かめることが容易にできるようになる。
【００２５】
また、ビデオカメラやモニター等の電子機器を使用しないために、低コストで長寿命化を図ることができるとともに、故障によるトラブルの発生もなくなる。
【００２６】
さらに、２枚の固定ミラー１１を略Ｖ字状に組み合わせた光学系手段１０であるから、左右逆等の像の向きを自然な方向に修正してハーフミラー７の特定位置に後面から投影できるようになる。さらに、シンプルな構成でありながら、左面ユニット５Ｌと右面ユニット５Ｒとを回動操作することで開閉角度を変えて、サイドミラー１２Ｌ，１２Ｒの像の向きを修正しながら明瞭にハーフミラー７に導くことができ、コストも安くなる。
【００２７】
また、正面ユニット５Ｓと左面ユニット５Ｌと右面ユニット５Ｒとに、使用者３の正面顔と左の横顔と右の横顔とを照明するライトを設ければ、明るく見えるようになる。このライトは、次述するように、サイドミラー１２Ｌ，１２Ｒを内側に回動させてハーフミラー７を閉じた時に消灯し、サイドミラー１２Ｌ，１２Ｒを外側に回動させてハーフミラー７を開いた時に点灯するように連動させれば便利である。
【００２８】
図３（ａ）では、左面ユニット５Ｌのサイドミラー１２Ｌと右面ユニット５Ｒのサイドミラー１２Ｒとは、左右の支柱部材８の手前側の対向位置に設けられた左右の支柱部材１３で、手前側と奥側とに回動自在に支持されている構成であったが、図３（ｂ）に示すように、左面ユニット５Ｌのサイドミラー１２Ｌと右面ユニット５Ｒのサイドミラー１２Ｒとは、例えば冷蔵庫の左右開き可能な扉に採用されているように、左右の支柱部材８と左右の支柱部材１３とのいずれでも回動自在に支持可能なように切り換えできるヒンジ機構を採用することができる。
【００２９】
そして、左面ユニット５Ｌのサイドミラー１２Ｌと右面ユニット５Ｒのサイドミラー１２Ｒとを左右の支柱部材８で回動自在に支持すれば、従来の三面鏡と同様に、サイドミラー１２Ｌ，１２Ｒを内側に回動させてハーフミラー７を閉じたり〔図３（ｂ）の符号ａ参照〕、サイドミラー１２Ｌ，１２Ｒを外側に回動させてハーフミラー７を大きく開くことができる〔図３（ｂ）の符号ｂ参照〕。また、ハーフミラー７の左右両側にサイドミラー１２Ｌ，１２Ｒを臨ませることもできる〔図３（ｂ）の符号ｃ参照〕。
【００３０】
さらに、図３（ｂ）に符号ｄで示す角度にサイドミラー１２Ｌ，１２Ｒを回動させれば、光学系手段１０を用いないで、矢印ｅで示すようにハーフミラー７の前面で反射されて、図４（ｃ）のように、ハーフミラー７の真ん中に映った正面像（正面顔）３ａの左右の位置で、像の向きが外側に鼻を向けた形の向きとなるように、左右面の像（左の横顔と右の横顔）３ｂ，３ｃをそれぞれ同時に見ることができる。
【００３１】
図５〜図８は第２実施形態の姿見装置１Ｂであり、使用者３の正面像（正面顔）３ａと左右面の像（左の横顔と右の横顔）３ｂ，３ｃと同時に見ることができる第１実施形態の姿見装置１Ａとは相違して、使用者３の正面像（正面顔）３ａと上下の像（頭頂と顎下）３ｄ，３ｅと同時に見ることができるものである。なお、第１実施形態と姿見装置１Ａと同一構成作用の箇所は、同一番号を付して詳細な説明は省略する。
【００３２】
図５、図６および図７（ａ）に示すように、洗面台２上には、姿見装置１Ａの正面ユニット５Ｓと上面ユニット５Ｕと下面ユニット５Ｄとが配置されている。
【００３３】
正面ユニット５Ｓのハーフミラー７には、図８（ａ）のように、使用者３の正面像（正面顔）３ａが映るようになる。
【００３４】
正面ユニット５Ｓの内部のハーフミラー７の上下両端位置には、光学系手段１０がそれぞれ配置されている。各光学系手段１０は、２枚の固定ミラー１１を組み合わせたものであり、バックボード９の上下両端部分に、側面視が略Ｖ字状で、ハーフミラー７側に向かって開口するようにそれぞれ固定されている。
【００３５】
上面ユニット５Ｕは、洗面台２上の上部に配置され、下面ユニット５Ｄは、洗面台２上の下部に配置されて、上面ユニット５Ｕの内面（前面）と下面ユニット５Ｄの内面（前面）には、使用者３の上下面の像（頭頂と顎下）を映すサイドミラー（側面鏡）１２Ｕ，１２Ｄがそれぞれ設けられている。
【００３６】
上面ユニット５Ｕと下面ユニット５Ｄとは、上下の支柱部材８の手前側の対向位置に設けられた上下の支柱部材１３で、矢印ｇで示すように、手前側と奥側とに回動自在に支持されている。つまり、サイドミラー１２Ｕ，１２Ｌは、ハーフミラー７の上下側方で、それぞれが可動式となっている。
【００３７】
第２実施形態の姿見装置１Ｂであれば、図８（ａ）のように、使用者３の正面像（正面顔）３ａがハーフミラー７に映るとともに、使用者の頭頂と顎下とは、図７（ａ）に矢印ｈで示すように、サイドミラー１２Ｕ，１２Ｄから２枚の固定ミラー１１でなる光学系手段１０を介してハーフミラー７の後面側にそれぞれ導いて、図８（ｂ）のように、ハーフミラー７の真ん中に映った正面像（正面顔）３ａの上下の位置で、像の向きが内側に鼻を向けた形の自然な向きとなるように光学系手段１０で修正した上下面の像（頭頂と顎下）３ｄ，３ｅを、ハーフミラー７を透してそれぞれ同時に見ることができる。
【００３８】
したがって、使用者３は、正面を向いた状態で、ハーフミラー７で正面像（正面顔）３ａを見ながら、正面を向いた状態での上下面の像（頭頂と顎下）３ｄ，３ｅも同時に見て確かめることが容易にできるようになる。なお、頭頂が見えれば頭髪の手入れに便利であり、顎下が見えれば、顎髭を剃るのに便利である。
【００３９】
図７（ａ）では、上面ユニット５Ｕのサイドミラー１２Ｕと下面ユニット５Ｄのサイドミラー１２Ｄとは、上下の支柱部材８の手前側の対向位置に設けられた上下の支柱部材１３で、手前側と奥側とに回動自在に支持されている構成であったが、図７（ｂ）に示すように、上面ユニット５Ｕのサイドミラー１２Ｕと下面ユニット５Ｄのサイドミラー１２Ｄとは、例えば冷蔵庫の左右開き可能な扉に採用されているように、上下の支柱部材８と上下の支柱部材１３とのいずれでも回動自在に支持可能なように切り換えできるヒンジ機構を採用することができる。
【００４０】
そして、上面ユニット５Ｕのサイドミラー１２Ｕと下面ユニット５Ｄのサイドミラー１２Ｄとを上下の支柱部材８で回動自在に支持すれば、従来の三面鏡と同様に、サイドミラー１２Ｕ，１２Ｄを内側に回動させてハーフミラー７を閉じたり〔図７（ｂ）の符号ａ参照〕、サイドミラー１２Ｕ，１２Ｄを外側に回動させてハーフミラー７を大きく開くことができる〔図３（ｂ）の符号ｂ参照〕。また、ハーフミラー７の上下両側にサイドミラー１２Ｕ，１２Ｄを臨ませることもできる〔図７（ｂ）の符号ｃ参照〕。なお、上面ユニット５Ｕのサイドミラー１２Ｕと下面ユニット５Ｄのサイドミラー１２Ｄとは、フリクションで回動位置に保持できるようになっており、安全性を高めるためには、回動位置でロックできるようにすることがより好ましい。
【００４１】
さらに、図７（ｂ）に符号ｄで示す角度にサイドミラー１２Ｕ，１２Ｄを回動させれば、光学系手段１０を用いないで、矢印ｅで示すようにハーフミラー７の前面で反射されて、図８（ｃ）のように、ハーフミラー７の真ん中に映った正面像（正面顔）３ａの上下の位置で、像の向きが外側に鼻を向けた形の向きとなるように、上下面の像（頭頂と顎下）３ｄ，３ｅを、ハーフミラー７を透してそれぞれ同時に見ることができる。
【００４２】
図９は第３実施形態の姿見装置１Ｃであり、第１実施形態の姿見装置１Ａと相違するのは、図９（ａ）のように、光学系手段１０の手前に、拡大・縮小可能なズームレンズ１６Ａ，１６Ｂとプリズム１７Ａ，１７Ｂとを組み合わせた第２の光学系手段１５を設けている点である。
【００４３】
第２の光学系手段１５は、図９（ｃ）に詳細に示すように、２個のプリズム１７Ａ，１７Ｂを前後の２個のズームレンズ１６Ａ，１６Ｂの間に配置したものである。そして、サイドミラー１２Ｌ，１２Ｒから入射した上下面の像（頭頂と顎下）３ｂ，３ｃが前ズームレンズ１６Ａを通ってプリズム１７Ａで２度反射され、続いて、プリズム１７Ｂで２度反射されて、後ズームレンズ１６Ｂから出射されるようになる。
【００４４】
これにより、天地逆、左右逆等の像の向きを自然な方向に修正して、図９（ｂ）のように、ハーフミラー７の真ん中に映った正面像（正面顔）３ａの左右の位置で、像の向きが内側に鼻を向けた形の自然な向きとなるように光学系手段１５，１０で修正した左右面の像（左の横顔と右の横顔）３ｂ，３ｃを、ハーフミラー７を透してそれぞれ同時に見ることができる。
【００４５】
また、ズームレンズ１６Ａ，１６Ｂによって、左右面（第２実施形態のタイプでは、上下面）の像３ｂ，３ｃを拡大・縮小できるので、拡大で細部を見たり、縮小で全体の調和を見たりすることで、使用者の利便性が高まるようになる。なお、プリズム１７Ａ，１７Ｂに代えて、捩った光ファイバーを用いることで、左右面の像の向きを変えることが可能である。
【００４６】
図１０は第４実施形態の姿見装置１Ｄであり、第３実施形態の姿見装置１Ｃと相違するのは、図１０（ａ）のように、ハーフミラー７の裏面にサイドミラーの像を投影する背面透過型スクリーン１９を設けて、背面透過型スクリーン１９の投影像をハーフミラー７を透して見れるようにした点である。
【００４７】
これにより、図１０（ｂ）のように、ハーフミラー７の真ん中に映った正面像（正面顔）３ａの左右の位置で、像の向きが内側に鼻を向けた形の自然な向きとなるように光学系手段１５，１０で修正した左右面の像（左の横顔と右の横顔）３ｂ，３ｃを、ハーフミラー７を透してそれぞれ同時に見ることができる。
【００４８】
加えて、背面透過型スクリーン１９に投影したサイドミラー１２Ｌ，１２Ｒの投影像をハーフミラー７を透して見ることにより、空間像と比べて見やすくなるとともに、背面透過型スクリーン１９を用いれば、見え方が使用者の視線方向に影響されにくくなる。なお、プロジェクター等の映像投影装置を利用して背面透過型スクリーン１９にニュースや天気予報等の映像情報を投影できるようにすれば、使用者は、正面を向いた状態で、ニュース等を見ることも可能になる。
【００４９】
図１１は第４実施形態の姿見装置１Ｄの変形例の姿見装置１Ｅであり、第４実施形態の姿見装置１Ｄと相違するのは、図１１（ａ）（ｂ）のように、背面透過型スクリーン１９に代えて、バックボード９の後方位置に、サイドミラー１２Ｌ，１２Ｒの像を投影するフロント投影型スクリーン２０を設けて、フロント投影型スクリーン２０の投影像をハーフミラー７を透して見れるようにした点である。
【００５０】
これにより、図１１（ｃ）のように、ハーフミラー７の真ん中に映った正面像（正面顔）３ａの左右の位置で、像の向きが内側に鼻を向けた形の自然な向きとなるように光学系手段１５，１０で修正した左右面の像（左の横顔と右の横顔）３ｂ，３ｃを、ハーフミラー７を透してそれぞれ同時に見ることができる。なお、光学系手段１０をやや下向きに傾
ことから、真ん中に映った正面像（正面顔）３ａに対して、左右面の像（左の横顔と右の横顔）３ｂ，３ｃは、やや下位置となる。
【００５１】
また、フロント投影型の場合のスクリーン素材を再帰性反射材にした場合には、明るい像が得られるようになる。
【００５２】
前記実施形態では、洗面台２に姿見装置１Ａ〜１Ｅを設けたものであったが、家庭内や和洋品店の試着室に置かれる鏡台用等として用いることもできる。
【図面の簡単な説明】
【００５３】
【図１】本発明の第１実施形態に係る姿見装置の斜視図である。
【図２】第１実施形態の姿見装置の内部構成を斜め上方から見た斜視図である。
【図３】第１実施形態の姿見装置の内部構成であり、（ａ）は平面図、（ｂ）はサイドミラーの回動操作の変形を示す平面図である。
【図４】（ａ）〜（ｃ）は、第１実施形態の姿見装置のハーフミラーに映った像の正面図である。
【図５】本発明の第２実施形態に係る姿見装置の斜視図である。
【図６】第２実施形態の姿見装置の内部構成を斜め前方から見た斜視図である。
【図７】第２実施形態の姿見装置の内部構成であり、（ａ）は側面図、（ｂ）はサイドミラーの回動操作の変形を示す側面図である。
【図８】（ａ）〜（ｃ）は、第２実施形態の姿見装置のハーフミラーに映った像の正面図である。
【図９】本発明の第３実施形態に係る姿見装置であり、（ａ）は内部構成の平面図、（ｂ）はハーフミラーに映った像の正面図、（ｃ）は第２の光学系手段の略画的斜視図である。
【図１０】本発明の第４実施形態に係る姿見装置であり、（ａ）は内部構成の平面図、（ｂ）はハーフミラーに映った像の正面図である。
【図１１】第４実施形態に係る姿見装置の変形例であり、（ａ）は内部構成の平面図、（ｂ）は内部構成の側面図、（ｃ）はハーフミラーに映った像の正面図である。
【符号の説明】
【００５４】
１Ａ〜１Ｅ  姿見装置
２    洗面台
３    使用者
７    ハーフミラー
１０  光学系手段
１１  固定ミラー
１２Ｌ，１２Ｒ，１２Ｕ，１２Ｄ  サイドミラー
１５  第２の光学系手段
１６Ａ，１６Ｂ  ズームレンズ
１７Ａ，１７Ｂ  プリズム
１９  背面透過型スクリーン
２０  フロント投影型スクリーン
【図１】
2007215830.tif 000003
【図２】
2007215830.tif 000004
【図３】
2007215830.tif 000005
【図４】
2007215830.tif 000006
【図５】
2007215830.tif 000007
【図６】
2007215830.tif 000008
【図７】
2007215830.tif 000009
【図８】
2007215830.tif 000010
【図９】
2007215830.tif 000011
【図１０】
2007215830.tif 000012
【図１１】
2007215830.tif 000013